(57)【要約】      （修正有）【課題】吊下げ部と収納部とを分離できるので、非常時に収納部を容易に持ち出すことができる吊下げ用収納具を提供する。【解決手段】ドアノブまたは突起に吊り下げる吊下げ部２と、収納物を入れる収納部３と、を有する吊下げ用収納具１であって、吊下げ部２と収納部３とは、互いに重なり合い着脱可能な接合部を有する。【選択図】図１
0003184251.tif 000002
【実用新案登録請求の範囲】
【請求項１】
ドアノブまたは突起に吊り下げる吊下げ部と、収納物を入れる収納部と、を有する吊下げ用収納具であって、
前記吊下げ部と前記収納部とは、互いに重なり合い着脱可能な接合部を有することを特徴とする吊下げ用収納具。
【請求項２】
前記吊下げ部は、前記ドアノブまたは突起が貫通する穴を有することを特徴とする請求項１記載の吊下げ用収納具。
【請求項３】
前記収納部は、先端部または全体が透明な材質で形成されていることを特徴とする請求項１または２記載の吊下げ用収納具。
【請求項４】
前記収納部は、裏面に該収納部を腕に取り付けるための取付手段を有していることを特徴とする請求項１〜３のいずれか１項に記載の吊下げ用収納具。
【請求項５】
前記吊下げ部または前記収納部は、夜光性の部材を有することを特徴とする請求項１〜４のいずれか１項に記載の吊下げ用収納具。
【請求項６】
前記吊下げ部または前記収納部は前記収納物を示し、交換可能な夜光性の表示部材を有することを特徴とする請求項１〜５のいずれか１項に記載の吊下げ用収納具。
【請求項７】
前記収納部は、材質がシリコーンであることを特徴とする請求項１〜６のいずれか１項に記載の吊下げ用収納具。
【請求項８】
前記収納部は、裏面に複数の紐通し穴が設けられ、該紐通し穴に紐を貫通し、該紐を収納できることを特徴とする請求項１〜７のいずれか１項に記載の吊下げ用収納具。
【請求項９】
前記収納部は、裏面に前記紐を収納する紐収納部が設けられたことを特徴とする請求項８記載の吊下げ用収納具。
【考案の詳細な説明】
【技術分野】
【０００１】
本考案は、出入り口の近傍に吊り下げて、直ぐに持ち出すことができる吊下げ用収納具に関する。
【背景技術】
【０００２】
従来から、防災具や防災用品は、災害に備えて、非常持ち出し袋やリュック等に入れて備えられる。
しかし、日本は全国で地震が多く、いつ、どこで地震に遭遇するかわからない状態にある。
そこで、大地震が起こり、避難しなければならないときの非常持ち出し袋やリュックと、地震発生時の初動行動に対応する防災具との二種類が必要と考えられる。
【０００３】
特許文献１には、簡易な吊下げ具として、旅先でホテルに宿泊の際、火災に遭遇したときに備えて、持参した表示板に、予め非常口の方向を調べ矢印で表示したり、火災による煙での一酸化炭素中毒を防ぐため、ビニール袋やマスクをドアノブに掛け収納された表示板が開示されている。
【０００４】
また、特許文献２には、壁掛け可能な合成樹脂の板体の表面に、各種防災具を取り付けるための釣部やバンドが取り付けられ、防災具の他に、水や保存食まで、ヘルメットの帽体の中に収納され、ヘルメットで覆いフックで壁に掛けるという技術が開示されている。
【先行技術文献】
【特許文献】
【０００５】
【特許文献１】実開昭６３−９６９１号公報
【特許文献２】特開２０００−１１６４９６号公報
【考案の概要】
【考案が解決しようとする課題】
【０００６】
しかし、特許文献１に開示されている旅行用の防災具は、就寝中に突然地震が発生した時に、それ自体を持ち避難するものではなく、ホテルなどで火災発生時に、収納物のみを身につけて、避難するための防災具であって、それ自体を持ち運ぶと片方の手が塞がってしまい避難しにくいという問題があった。
【０００７】
また、特許文献２に開示されている防災用品収納具は、ヘルメットの帽体内の空間を利用して防災用品や水、食料を収納し、フックで壁面に下げておくというものであり、かなりの重量になり、激しい揺れで落下して避難時に見つけることができず、使用できなくなるという問題があった。
【０００８】
本考案は、前記課題を解決するためのものであり、その目的とするところは、吊下げ部と収納部とを分離できるので、収納部を容易に持ち出すことができる吊下げ用収納具を提供することにある。
【課題を解決するための手段】
【０００９】
かかる目的を達成するために、本考案は、以下の特徴を有することとする。
【００１０】
本考案に係る吊下げ用収納具は、ドアノブまたは突起に吊り下げる吊下げ部と、収納物を入れる収納部と、を有する吊下げ用収納具であって、前記吊下げ部と前記収納部とは、互いに重なり合い着脱可能な接合部を有することを特徴とする。
【考案の効果】
【００１１】
本考案によれば、吊下げ部と収納部とを分離できるので、収納部を容易に持ち出すことができる。また、収納部を身に付けることができるので、両手を自由に使え、安全で迅速に避難することができる。
【図面の簡単な説明】
【００１２】
【図１】第１の実施形態に係る吊下げ用収納具の正面図である。
【図２】第１の実施形態に係る吊下げ部と収納部との分解図である。
【図３】第１の実施形態に係る吊下げ部の正面図である。
【図４】第２の実施形態に係る吊下げ用収納具の正面図である。
【図５】第２の実施形態に係る紐を使用した吊下げ用収納具の背面図である。
【図６】第２の実施形態に係る収納具本体の上部を折り曲げた吊下げ用収納具の正面図である。
【図７】第３の実施形態に係る紐を収納した吊下げ用収納具の背面図である。
【図８】第４の実施形態に係る収納部を複数併設した吊下げ用収納具の正面図である。
【図９】第５の実施形態に係る吊下げ部を短くした吊下げ用収納具の正面図である。
【図１０】第６の実施形態に係る蓄光顔料の表示部が設けられた吊下げ用収納具の正面図である。
【図１１】第７の実施形態に係る蓄光顔料の表示部が設けられた吊下げ用収納具の正面図である。
【考案を実施するための形態】
【００１３】
以下、本考案による一実施形態について図面を参照して詳しく説明する。
【００１４】
（第１の実施形態）
図１は、第１の実施形態に係る吊下げ用収納具１の正面図である。図２は、第１の実施形態に係る吊下げ部２と収納部３との分解図である。図３は、第１の実施形態に係る吊下げ部２の正面図である。
【００１５】
図１と図２に示すように、吊下げ用収納具１は、吊下げ部２と収納部３とを有している。吊下げ部２の表面の上部には、夜光シート４が取り付けられているので、部屋が暗い場合でも吊下げ用収納具１がある場所を直ぐに見つけることができる。
【００１６】
また、吊下げ部２の表面の上部と夜光シート４とには、ドアノブが貫通する掛け止め穴５が形成されている。掛け止め穴５は、一般のフックやドアノブがレバーハンドルの場合は、丸型でよい。しかし、ドアノブが玉座の場合は、玉をくぐらせるために、図３に示すように、丸型の下方に切り込み１２を設けるとスムーズに取り付けられる。
【００１７】
切り込み１２の長さは、玉座の玉が通る長さであり、図示しないが切り込みを極細の長いＵ字型としてもよい。丸型に切り込み１２を設けると、ノブの軸に丸型が密着するので、楕円のようにぶらぶらしない形状にしている。
【００１８】
図２に示すように、吊下げ部２の表面の下部には、マジックテープ（登録商標）６が取り付けられている。また、収納部３の裏面の上部には、マジックテープ７が取り付けられている。吊下げ部２と収納部３とのマジックテープ６，７により、吊下げ部２と収納部３とは着脱可能である。地震発生の緊急時に吊下げ部２と収納部３を分離することにより、容易に収納部３を持ち出すことができ、吊下げ部２が邪魔になることはない。
なお、吊下げ部２と収納部３との接合部はマジックテープ６，７に限定されず、凹凸に形成されたボタン形状の金具など着脱可能な構造でもよい。
【００１９】
収納部３は上部に蓋８を有し、収納部３の表面のマジックテープと蓋８の裏面のマジックテープで、蓋８を閉じることができる。収納部３には、ＬＥＤライトまたは懐中電灯１１、小型の財布、緊急連絡先や持病等記入した災害時あんしんシート、笛等を入れることができる。
なお、蓋８を閉じる部分はマジックテープに限定されず、チャックや磁石、ボタン形状の金具、ゴムで縮める等で蓋を閉じるようにしてもよい。
【００２０】
収納部３の裏面には、ゴム９またはワンタッチで開閉できるベルトが取り付けられている。ゴム９またはベルトにより、収納部３を腕に取り付けることができるので、両手を自由に使え、安全で迅速に避難することができる。
【００２１】
収納部３の先端は、材質がビニール１０で形成されている。収納部３に懐中電灯１１を点灯させた状態で懐中電灯１１の発光部をビニール方向となるように収納する。ビニール１０を光が通過することにより、腕に収納部３を取り付けた状態や収納部３を手で持った状態で、足下や前方を照らすことができる。
【００２２】
なお、材質がビニール１０である部分は収納部３の先端に限定されず、収納部３全体をビニールにしてもよい。また、材質はビニール１０に限定されず、透明な他の材質やシリコーンなど光を通す材質にしてもよい。
【００２３】
（第２の実施形態）
図４は、第２の実施形態に係る吊下げ用収納具２１の正面図である。吊下げ用収納具２１は、吊下げ用収納具本体２２の下部に収納部２３，２４と、収納具本体２２の上部にフックやドアノブに吊り下げるための掛け止め穴２５と、夜光シート３０とが設けられている。収納部２３と収納部２４とはネットや布等の仕切りで区切られている。収納部２４には、緊急連絡先、保険証や免許証の写し、少額なお金等を入れておくとよい。
なお、ＬＥＤライトや懐中電灯の大きさによって、収納具本体２２の長さや、収納部２３，２４の深さ等を自由に変更できる。
【００２４】
図５は、第２の実施形態に係る紐を使用した吊下げ用収納具２１の背面図である。収納具本体２２の中間近辺の両側に、紐通し穴２６，２７が設けられている。収納具本体２２の裏面２８から紐通し穴２６，２７にショルダー紐２９ａの両先端を挿通する。ショルダー紐２９ａは、紐通し穴２６，２７を介して紐の両先端部を固着し、リング状にした場合は、ショルダー紐の一部２９ｂが収納具本体の裏面２８に出ている。
【００２５】
他の実施形態として紐の両先端部を紐通し穴２６，２７に挿通し、駒を作り係止してもよい。どちらもショルダー紐２９ａを収納部２４に収納すると、収納具本体の裏面２８にショルダー紐の一部２９ｂが出ている。
【００２６】
地震発生時には、この紐の一部２９ｂを引き出すとショルダー紐２９ａが素早くショルダーの肩掛け紐となる。図６に示すように、収納部２３にＬＥＤライトまたは懐中電灯３１、小型の財布、災害時あんしんシート、笛等を入れておく。収納具本体２２の上部を折り曲げて、収納部２３に差し込み、吊下げ用収納具２１を携帯することができる。
【００２７】
また、収納部２３の先端の材質をビニール３５にした場合、懐中電灯３１を点灯して収納部２３に収納すると、ビニール３５は光を通すことができる。なお、材質がビニール３５である部分は収納部２３の先端に限定されず、収納部２３全体をビニールにしてもよい。
収納部  23内の懐中電灯を点灯し、ショルダーの紐を引き出し肩に掛け避難すれば両手をふさぐ事なく、足元や前方を照らし安全に避難できる。
【００２８】
（第３の実施形態）
図７は、第３の実施形態に係る紐を収納した吊下げ用収納具２１の背面図である。収納具本体２２の下部に収納部２３，２４を設け、収納具本体の裏面２８の中間近辺にショルダー紐の先端部３２，３３を固着し、網状の面を有する収納部３４を設け、ショルダー紐２９の収納部とした。紐通し穴を設けず、収納具本体２２の中間近辺の両側に、直接、ショルダー紐２９の先端部３２，３３を固着した。
【００２９】
（第４の実施形態）
図８は、第４の実施形態に係る収納部４２，４３，４４を複数併設した吊下げ用収納具４１の正面図である。出入り口近傍の壁面やドア面、ベッドの頭部の近くに吊し、複数の収納部４２，４３，４４が設けられ、掛け止め穴４６は中心に１個形成されている。紐通し穴４８，４９は、両サイドに１個ずつ２個設けられている。
【００３０】
収納部４２は中央が仕切られ、収納物を２箇所に入れることができる。収納部４３は仕切り面４３ａと仕切り面４４ａとの間に設けられている。収納部４４は仕切り面４４ａと収納具本体４５との間に設けられている。
【００３１】
裏面よりショルダー紐４７の両先端を紐通し穴４８，４９に通し、紐の両先端に駒を作り、紐通し穴４８，４９に係止する。ショルダー紐４７は、収納部４４に収納される。収納具本体４５の裏面に、図５と同様に、ショルダー紐４７の一部が出ているので、地震発生時には、この紐を引き出すとショルダーバッグになる。
【００３２】
吊下げ用収納具４１の上部を折り返すと吊下げ用収納具４１の蓋になり、止め部を設ければ落下防止になる。なお、ウオールポケット状の吊下げ用収納具として横に２個以上収納部を設けても、上下に収納部を設けてもよい。
【００３３】
掛け止め穴４６の周辺を高輝度長残光性蓄光顔料Ｎ夜光シート５０で型抜きし、縫製または粘着しておくと、部屋が暗い場合でも吊下げ用収納具４１がある場所を直ぐに見つけることができる。
【００３４】
（第５の実施形態）
図９は、第５の実施形態に係る吊下げ部を短くした吊下げ用収納具５１の正面図である。仕切り面４３ａの上端と仕切り面４４ａの上端との間に、ファスナー５２が設けられ、収納部４３の開口を閉じることができる。
【００３５】
（第６の実施形態）
図１０は、第６の実施形態に係る蓄光顔料の表示部が設けられた吊下げ用収納具６１の正面図である。収納部６２の表示部６３に高輝度長残光性蓄光顔料Ｎ夜光（ルミノーバ）シートで型抜きし、例えば、懐中電灯、携帯電話、眼鏡など、収納物の形状を縫製、粘着または成形物を取り付けることができる。
【００３６】
高輝度長残光性蓄光顔料Ｎ夜光は、従来型の蓄光性顔料と比べ、残光と輝度が１０倍である。例えば、高輝度長残光性蓄光顔料Ｎ夜光でスクリーン印刷しても、高輝度長残光性蓄光顔料Ｎ夜光使用のルミノーバシート、ルミノーバフィルム、射出成形用ルミノーバペレットを成形加工した成形物を表示部６３に添付してもよい。
なお、夜光顔料は高輝度長残光性蓄光顔料Ｎ夜光に限定されず、夜光性の効果を有するものであればよい。
【００３７】
停電時や災害時のみならず、日常からベッドの頭部近辺に掛けておけば、就寝時、眼鏡の置き場に困ることもなく安全であり、緊急時にも、あわてることがない。また、吊下げ用収納具６１には、収納物の表示があり、暗闇の中でも何が入っているか特定できる。さらに、第４と第５の実施形態と同様に、収納部が２つ以上ある吊下げ用収納具にすれば、眼鏡、懐中電灯、携帯電話など多数の収納物を収納し表示できる。
【００３８】
（第７の実施形態）
図１１は、第７の実施形態に係る蓄光顔料の表示部が設けられた吊下げ用収納具７１の正面図である。収納具本体６４と収納部の中央部に設けた嵌合穴７２を除く収納部６２は、シリコーンその他のゴム等で一体に成形される。
【００３９】
シリコーンまたは他の樹脂等と、高輝度長残光性蓄光顔料を混合し、別体に成形した夜光表示体７３を有し、夜光表示体７３は嵌合穴７２に嵌め合わせることができ、高価な蓄光顔料を最小限の無駄のない利用ができる。
収納具の材質は、布地に塩化ビニールやウレタン等をコーティングした素材やシリコーンその他のゴム、皮革など自由に選択できる。
【００４０】
また、収納部６２をビニールやシリコーン等のように、透明または半透明な材質にし、太陽電池付きＬＥＤライトや、太陽電池が接続された懐中電灯を収納部６２に入れることにより、部屋の明るさで充電できる。
【００４１】
なお、第２〜７の実施形態は第１の実施形態と同様に、吊下げ部２と収納部３とを分離できるようにしてもよい。また、第２〜７の実施形態は第１の実施形態と同様に、収納部の先端または全体の材質をビニールやシリコーンにして、ＬＥＤライトや懐中電灯等の光が通過できるようにしてもよい。
【００４２】
また、図２(ｂ)に示す収納部３の裏面に取り付けられたマジックテープ７の下に、図示しないベルト通し等を設ければ腰ベルトに収納部３を保持することができる。収納部３内の懐中電灯１１を下方に向けて点灯すれば足元を照らすこともできる。
【００４３】
以上、本考案に関して実施形態を説明したが、必ずしもこれらに限定するものではなく、本考案の技術的思想の範疇内で、種々の修正及び変形実施が可能である。
【符号の説明】
【００４４】
１    吊下げ用収納具
２    吊下げ部
３    収納部
４    夜光シート
５    掛け止め穴
６    マジックテープ
９    ゴム
１０    ビニール
１１    懐中電灯
１２    切り込み
２６    紐通し穴
２９    ショルダー紐
６３    表示部
７２    嵌合穴
７３    夜光表示体
【図１】
0003184251.tif 000003
【図２】
0003184251.tif 000004
【図３】
0003184251.tif 000005
【図４】
0003184251.tif 000006
【図５】
0003184251.tif 000007
【図６】
0003184251.tif 000008
【図７】
0003184251.tif 000009
【図８】
0003184251.tif 000010
【図９】
0003184251.tif 000011
【図１０】
0003184251.tif 000012
【図１１】
0003184251.tif 000013